(57)【要約】【課題】表示部に表示された画像を参照しながら被写体にピントが合っているか否かをユーザが容易に判断できる撮像装置及び画像表示方法を得る。【解決手段】ピントがずれている画像全体のコントラスト値は相対的に低い値になる。低いコントラスト値に応じた倍率、例えば１．２倍の拡大倍率で元の画像の中心を中心として拡大したものが拡大画像２１である。この状態においてピントを被写体に合焦させると、被写体像はぼけずに画像全体のコントラスト値は相対的に最も高い値になる。高くなったコントラスト値に応じた倍率、例えば１．８倍の拡大倍率で元の画像の中心を中心として拡大したものが拡大画像２２である。拡大画像２２のコントラスト値は拡大画像２１よりも大きいため、拡大画像２２に含まれる被写体像の大きさは拡大画像２１における被写体像よりも大きくなる。【選択図】図２
2014179782.tif 000002
【特許請求の範囲】
【請求項１】
被写体像を撮像して画像を出力する撮像素子と、
被写体に合焦して、前記撮像素子に被写体像を結像させる合焦レンズと、
前記撮像素子から前記画像を取得し、前記画像の一部を拡大して拡大画像を作成する画像処理部と、
前記画像処理部から前記拡大画像を取得して表示する表示部とを備え、
前記画像は、被写体に対する前記合焦レンズの合焦状態に応じて変化する鮮鋭度を有し、
前記画像処理部は所定期間毎に前記鮮鋭度を算出し、前記鮮鋭度に応じて所定期間毎に前記画像の一部を拡大する撮像装置。
【請求項２】
前記画像処理部は、前記鮮鋭度が最も高い拡大画像を合焦画像として決定し、前記合焦画像に対応する画像が撮像された時より後に撮像された画像に対応する拡大画像に、前記合焦画像を重畳して前記表示部に表示させる請求項１に記載の撮像装置。
【請求項３】
前記画像処理部は、前記画像の中心を中心として前記画像を拡大する請求項１又は２に記載の撮像装置。
【請求項４】
前記画像に含まれる顔を検出する顔検出部をさらに備え、
前記画像処理部は、前記顔検出部が検出した顔を中心として前記画像を拡大する請求項１又は２に記載の撮像装置。
【請求項５】
前記鮮鋭度は、前記画像のコントラスト値に基づいて決定される請求項１から４のいずれかに記載の撮像装置。
【請求項６】
前記鮮鋭度は、前記画像が有する高周波成分の多さに基づいて決定される請求項１から５のいずれかに記載の撮像装置。
【請求項７】
シャッターレリーズボタンをさらに備え、
前記シャッターレリーズボタンが押圧された場合、前記表示部は前記合焦画像及び前記拡大画像の表示を中止して、前記画像を表示する請求項１から６のいずれかに記載の撮像装置。
【請求項８】
前記合焦レンズは、被写体に対する合焦状態を調節するピント調整リングをさらに備え、
前記ピント調整リングが所定期間動かない場合、前記表示部は前記合焦画像及び前記拡大画像の表示を中止して、前記画像を表示する請求項１から７のいずれかに記載の撮像装置。
【請求項９】
前記合焦レンズは、被写体に対する合焦状態を調節するピント調整リングをさらに備え、
前記ピント調整リングが動いた場合、前記画像処理部は前記鮮鋭度に応じて前記画像の一部を拡大し、前記表示部は前記拡大画像を表示する請求項１から８のいずれかに記載の撮像装置。
【請求項１０】
被写体に合焦レンズを合焦させるステップと、
被写体像を撮像して画像を出力するステップと、
被写体に対する前記合焦レンズの合焦状態に応じて変化する鮮鋭度を、所定期間毎に前記画像において算出するステップと、
所定期間毎に、前記鮮鋭度に応じて前記画像の一部を拡大して拡大画像を作成するステップと、
前記拡大画像を取得して表示するステップとを備える画像表示方法。
【発明の詳細な説明】
【技術分野】
【０００１】
本発明は、撮像した画像を表示可能な表示部を有する撮像装置、及び撮像した画像を表示する方法に関する。
【背景技術】
【０００２】
連続的に被写体像を撮像して、表示部に表示する撮像装置が知られている。このような撮像装置の中には、ユーザは表示部に表示された画像を参照しながら、撮像レンズのピントを手動で調節できるものがある。ピントが合っているかをユーザが容易に確認できるように、撮像装置は画像の一部を拡大して表示する（引用文献１）。
【先行技術文献】
【特許文献】
【０００３】
【特許文献１】特開２００３−３４８４２２号公報
【発明の概要】
【発明が解決しようとする課題】
【０００４】
しかし、撮像装置の処理能力には限度がある。そのため、表示する画像の画素数や更新頻度等をある程度まで下げることがある。これにより表示される画像の画質が低下して、ピントが合っているか否かをユーザが確認しづらくなるおそれが生じる。例え拡大した画像を表示部の一部に表示したとしても、画質が低い画像を参照してピントが合っているか否かを判断することはユーザにとって困難であることに変わりがない。
【０００５】
本発明はこの問題に鑑みてなされたものであり、表示部に表示された画像を参照しながら被写体にピントが合っているか否かをユーザが容易に判断できる撮像装置及び画像表示方法を得ることを目的とする。
【課題を解決するための手段】
【０００６】
本願第１の発明による撮像装置は、被写体像を撮像して画像を出力する撮像素子と、被写体に合焦して、撮像素子に被写体像を結像させる合焦レンズと、撮像素子から画像を取得し、画像の一部を拡大して拡大画像を作成する画像処理部と、画像処理部から拡大画像を取得して表示する表示部とを備え、画像は、被写体に対する合焦レンズの合焦状態に応じて変化する鮮鋭度を有し、画像処理部は所定期間毎に鮮鋭度を算出して、鮮鋭度に応じて所定期間毎に画像の一部を拡大することを特徴とする。
【０００７】
画像処理部は、鮮鋭度が最も高い拡大画像を合焦画像として決定し、合焦画像に対応する画像が撮像された時より後に撮像された画像に対応する拡大画像に、合焦画像を重畳して表示部に表示させてもよい。
【０００８】
画像処理部は、画像の中心を中心として画像を拡大してもよい。
【０００９】
画像に含まれる顔を検出する顔検出部をさらに備え、画像処理部は、顔検出部が検出した顔を中心として画像を拡大してもよい。
【００１０】
鮮鋭度は、画像のコントラスト値に基づいて決定されることが好ましい。
【００１１】
鮮鋭度は、画像が有する高周波成分の多さに基づいて決定されてもよい。
【００１２】
撮像装置はシャッターレリーズボタンをさらに備え、シャッターレリーズボタンが押圧された場合、表示部は合焦画像及び拡大画像の表示を中止して、画像を表示してもよい。
【００１３】
合焦レンズは、被写体に対する合焦状態を調節するピント調整リングをさらに備え、ピント調整リングが所定期間動かない場合、表示部は合焦画像及び拡大画像の表示を中止して、画像を表示してもよい。
【００１４】
合焦レンズは、被写体に対する合焦状態を調節するピント調整リングをさらに備え、ピント調整リングが動いた場合、画像処理部は鮮鋭度に応じて画像の一部を拡大し、表示部は拡大画像を表示してもよい。
【００１５】
本願第２の発明による画像表示方法は、被写体に合焦レンズを合焦させるステップと、被写体像を撮像して画像を出力するステップと、被写体に対する合焦レンズの合焦状態に応じて変化する鮮鋭度を、所定期間毎に画像において算出するステップと、所定期間毎に、鮮鋭度に応じて画像の一部を拡大して拡大画像を作成するステップと、拡大画像を取得して表示するステップとを備えることを特徴とする。
【発明の効果】
【００１６】
本発明によれば、表示部に表示された画像を参照しながら被写体にピントが合っているか否かをユーザが容易に判断できる撮像装置及び画像表示方法を得る。
【図面の簡単な説明】
【００１７】
【図１】撮像装置を概略的に示したブロック図である。
【図２】画像とコントラスト値との関係を示した図である。
【図３】第１の表示処理を示したフローチャートである。
【図４】画像とコントラスト値との関係を示した図である。
【図５】第２の表示処理を示したフローチャートである。
【発明を実施するための形態】
【００１８】
本願発明の第１の実施形態による撮像装置について図１から３を用いて説明する。図１は、撮像装置の一実施形態であるデジタルカメラ１００を示す。図１を用いてデジタルカメラ１００の構成について説明する。
【００１９】
デジタルカメラ１００は、ＤＳＰ１１０、撮像素子であるＣＭＯＳ１２１、合焦レンズ１３１、ＬＣＤ（表示部）１２２を主に備える。
【００２０】
合焦レンズ１３１は、デジタルカメラ１００のボディに畳まれて格納され、デジタルカメラ１００が画像を記録する動作モードに設定されたとき、ボディから繰り出される。繰り出された合焦レンズ１３１は被写体に合焦して、ＣＭＯＳ１２１に被写体像を結像させる。合焦レンズ１３１の外周面にはピント調整リング１３２が設けられる。ユーザがピント調整リング１３２を回転させて、合焦レンズ１３１を被写体に合焦させる。
【００２１】
合焦レンズ１３１とＣＭＯＳ１２１との間の光路上には絞り羽根１２３、シャッター幕１２４が設けられる。絞り羽根１２３はＣＭＯＳ１２１に到達する光量を調節し、シャッター幕１２４は、合焦レンズ１３１からＣＭＯＳ１２１までの光路を開閉する。
【００２２】
ＣＭＯＳ１２１は、ＤＳＰ１１０が生成する同期クロック信号を受信し、これに同期して動作する。そして、結像した被写体像を撮像して画像を連続的に出力する。画像はＤＳＰ１１０に送信される。
【００２３】
ＤＳＰ１１０は、受信した画像に所定の処理を施した後、処理済みの画像をＬＣＤ１２２に連続的に送信する。ＬＣＤ１２２は、受信した画像を表示する。これにより、ＣＭＯＳ１２１が現在撮像している画像が動画としてＬＣＤ１２２に表示される。この動画をライブビューと呼ぶ。またＤＳＰ１１０は、受信した画像に応じて絞り値及びシャッター速度を算出する。そして、絞り値及びシャッター速度を駆動回路１２５に送信する。駆動回路１２５は受信した絞り値及びシャッター速度に応じて、絞り羽根１２３及びシャッター幕１２４を駆動制御する。
【００２４】
ＤＳＰ１１０には、操作スイッチ１２６が接続される。操作スイッチ１２６は、シャッターレリーズボタンを備える。シャッターレリーズボタンは二段階スイッチであり、ユーザが半押しすると半押し信号をＤＳＰ１１０に送信し、全押しすると全押し信号をＤＳＰ１１０に送信する。半押し信号を受信したＤＳＰ１１０は、受信した画像に応じて、絞り値及びシャッター速度を算出する。全押し信号を受信したＤＳＰ１１０は、算出済みの絞り値及びシャッター速度で絞り羽根１２３及びシャッター幕１２４を駆動させ、ＣＭＯＳ１２１に被写体像を撮像させる。そしてＣＭＯＳ１２１から取得した画像に対してメモリ１２７を一時記憶装置として用いながら所定の画像処理を施し、メモリカード１２８に送信する。メモリカード１２８は、デジタルカメラ１００に対して着脱自在となるように設けられる、例えばＳＤカードであって、受信した画像を保存する。
【００２５】
シャッターレリーズボタンが操作されていないとき、前述のように、ＤＳＰ１１０は、受信した画像をＬＣＤ１２２に連続的に送信し、ＬＣＤ１２２は、ＣＭＯＳ１２１が現在撮像している画像を動画として表示する。
【００２６】
ＤＳＰ１１０は、画像処理部１１１及び顔検出部１１２を備える。顔検出部１１２は、画像に含まれる顔を検出する。画像処理部１１１は、ＣＭＯＳ１２１から受信した画像の鮮鋭度を算出し、鮮鋭度に応じて画像の一部を拡大して拡大画像を作成する。すなわち画像処理部１１１は、画像を受信するごと、つまり所定期間毎に、鮮鋭度を算出して鮮鋭度に応じて拡大画像を作成する。画像を拡大する処理は、いわゆる電子ズームによるものである。鮮鋭度は、例えば画像全体若しくは一部の領域に含まれる高周波成分の量、又は画像全体若しくは一部の領域のコントラスト値である。コントラスト値は、画像を構成する各画素の輝度値に所定の値を乗じ、得られた値を合計することにより求められる。例えば、画像がｎ行×ｍ列の画素によって構成され、輝度値がＬｎ，ｍで表されるとき、コントラスト値Ｃは、以下の式により求められる。
【数１】
2014179782.tif 000003
【００２７】
次に、図２及び３を用いて第１の表示処理について説明する。第１の表示処理は、デジタルカメラ１００が画像を記録する動作モードに設定されたときに実行される処理であり、画像の鮮鋭度に基づいて、画像の一部を拡大して作成した拡大画像をＬＣＤ１２２に表示させる。以下、画像全体のコントラスト値を鮮鋭度として用いた場合について説明する。
【００２８】
まず、図２を用いて第１の表示処理の概略について説明する。拡大画像２１は、合焦レンズ１３１のピントが被写体よりもデジタルカメラ１００に近い位置に合っている場合の画像である。この場合、ピントがずれているため被写体像はぼけており、画像全体のコントラスト値は相対的に低い値になっている。画像処理部１１１は、コントラスト値に応じた倍率、例えば１．２倍の拡大倍率で元の画像の中心を中心として拡大する。倍率は、１．０倍以上の値であって、コントラスト値が高くなればなるほど大きい値をとる。これにより得られたものが拡大画像２１である。拡大画像２１はＬＣＤ１２２に表示される。
【００２９】
この状態において、ピントが合う位置をデジタルカメラ１００から遠ざけるようにピント調整リング１３２をユーザが回転させると、ピントが被写体に合焦する。拡大画像２２は、ピントが被写体に合焦している場合の画像である。この場合、被写体にピントが合っているため被写体像はぼけておらず、画像全体のコントラスト値は相対的に最も高い値になっている。画像処理部１１１は、高くなったコントラスト値に応じた倍率、例えば１．８倍の拡大倍率で元の画像の中心を中心として拡大し、拡大画像２２を作成する。すなわち、拡大画像２２のコントラスト値は拡大画像２１よりも大きいため、拡大画像２２に含まれる被写体像の大きさは拡大画像２１における被写体像よりも大きくなる。ＬＣＤ１２２は拡大画像２２を表示する。
【００３０】
この状態において、ピントが合う位置をデジタルカメラ１００から更に遠ざけるようにピント調整リング１３２をユーザが回転させると、被写体に合焦していたピントがデジタルカメラ１００から遠ざかり、ピントが被写体からずれる。拡大画像２３は、合焦レンズ１３１のピントが被写体よりもデジタルカメラ１００から遠い位置に合っている場合の画像である。この場合、ピントがずれているため被写体像がぼけており、画像全体のコントラスト値は相対的に低い値になっている。画像処理部１１１は、低いコントラスト値に応じた倍率、例えば１．２倍の拡大倍率で元の画像の中心を中心として拡大する。すなわち、拡大画像２３のコントラスト値は画像２２よりも低いため、拡大画像２３に含まれる被写体像の大きさは拡大画像２２における被写体像よりも小さくなる。ＬＣＤ１２２は拡大画像２３を表示する。拡大画像２１−２３に示した画像のコントラスト値の変化を曲線２４として示す。画像のコントラスト値と拡大倍率との関係は、メモリ１２７にテーブルとして記憶される。ここで、コントラスト値は０から２５５までの値をとり、拡大倍率は１倍から４倍までの値をとる。
【００３１】
次に、図３を用いて第１の表示処理について説明する。
【００３２】
始めのステップＳ３１では、初期動作を行う。初期動作では、デジタルカメラ１００のボディから合焦レンズ１３１を繰り出し、ＣＭＯＳ１２１が撮像を開始し、画像をＤＳＰ１１０に送信し始める。ＬＣＤ１２２は、画像を連続的に表示する。そしてＤＳＰ１１０は、コントラスト値と拡大倍率との関係を示すテーブルをメモリ１２７から読み出す。
【００３３】
次のステップＳ３２では、ＤＳＰ１１０がＣＭＯＳ１２１から画像を取得する。
【００３４】
次のステップＳ３３では、ユーザがマニュアルフォーカス（ＭＦ）、すなわち手動でピントを合わせているか否かを判断する。例えば、オートフォーカスのスイッチがユーザによってオフにされている場合、あるいはユーザがピント調整リング１３２を動かしているときに、手動でピントを合わせていると判断する。手動でピントを合わせているとき、処理はステップＳ３４に進み、手動でピントを合わせていないとき、処理はステップＳ３６に進む。
【００３５】
ステップＳ３４では、画像のコントラスト値を算出する。
【００３６】
次のステップＳ３５では、ステップＳ３１で読み出したテーブルと、ステップＳ３４で算出したコントラスト値とから、拡大倍率を求める。そして、画像の中心を中心に画像を拡大し、拡大画像を作成する。
【００３７】
ステップＳ３６では、ＬＣＤ１２２に拡大画像を表示させる。
【００３８】
次のステップＳ３７では、他の処理を行うか否かを判断する。他の処理は、例えばシャッターレリーズボタンの半押しに応じて実行される絞り値及びシャッター速度の算出、あるいは全押しに応じて実行される絞り羽根１２３及びシャッター幕１２４の駆動からメモリカード１２８による画像の保存までの処理である。他の処理を行わない場合、処理はステップＳ３２に戻り、ステップＳ３２からＳ３７までの処理を繰り返す。これにより、ＣＭＯＳ１２１が取得した画像のコントラスト値に応じて画像が拡大されてＬＣＤ１２２に表示される。他の処理を行う場合、処理はステップＳ３８に進み、他の処理を実行する。そして処理が終了する。
【００３９】
本実施形態によれば、撮像した画像のコントラスト値に応じて画像が拡大されてＬＣＤ１２２に表示されるため、最もコントラスト値の高い画像が最も拡大されて表示されることになる。すなわち、ピントが合ったときに被写体像が最も大きくＬＣＤ１２２に表示されることになる。そのため、被写体像のぼけ具合という判断要素に加えて、被写体像の大きさという判断要素を考慮してピントが合っていか否かをユーザが判断できる。よって、表示する画像の画素数や更新頻度等を下げることにより画質が低下しても、ユーザは被写体にピントが合っているか否かを容易に判断できる。
【００４０】
なお本実施形態のステップＳ３７及びＳ３８において、シャッターレリーズボタンが押圧された場合、ＬＣＤ１２２は拡大画像の表示を中止して、元の画像を表示してもよい。
【００４１】
また、ステップＳ３７及びＳ３８において、ピント調整リング１３２が所定期間以上の期間動かされない場合、ＬＣＤ１２２は拡大画像の表示を中止して、元の画像を表示してもよい。
【００４２】
次に図４及び５を用いて第２の実施形態について説明する。第２の実施形態は、拡大画像に加えて、合焦画像をＬＣＤ１２２に表示する点が第１の実施形態と異なる。第１の実施形態と同様の構成については、同じ符号を付して説明を省略する。
【００４３】
図４及び５を用いて第２の表示処理について説明する。第２の表示処理は、デジタルカメラ１００が画像を記録する動作モードに設定されたときに実行される処理であり、画像の鮮鋭度に基づいて、画像の一部を拡大して作成した拡大画像をＬＣＤ１２２に表示させる。鮮鋭度の算出及び拡大画像の作成は、画像を受信するごと、つまり所定期間毎に行われる。以下、画像全体のコントラスト値を鮮鋭度として用いた場合について説明する。
【００４４】
図４を用いて第２の表示処理の概略について説明する。拡大画像４１は、合焦レンズ１３１のピントが被写体よりもデジタルカメラ１００に近い位置に合っている場合の画像である。この場合、ピントがずれているため被写体像はぼけており、画像全体のコントラスト値は相対的に低い値になっている。画像処理部１１１は、低いコントラスト値に応じた倍率、例えば１．２倍の拡大倍率で元の画像の中心を中心として拡大する。これにより得られたものが拡大画像４１である。拡大画像４１はＬＣＤ１２２に表示される。
【００４５】
この状態において、ピントが合う位置をデジタルカメラ１００から遠ざけるようにピント調整リング１３２をユーザが回転させると、ピントが被写体に合焦する。拡大画像４２は、ピントが被写体に合焦している場合の画像である。この場合、被写体にピントが合っているため被写体像はぼけておらず、画像全体のコントラスト値は相対的に最も高い値になっている。画像処理部１１１は、高くなったコントラスト値に応じた倍率、例えば１．８倍の拡大倍率で元の画像の中心を中心として拡大し、拡大画像４２を作成する。すなわち、拡大画像４２のコントラスト値は拡大画像４１よりも大きいため、拡大画像４２に含まれる被写体像の大きさは拡大画像４１における被写体像よりも大きくなる。そして、ＬＣＤ１２２は拡大画像４２を表示する。ピントが被写体に合っている場合、拡大画像４２に対応する画像のコントラスト値は、他の画像と比較して最も大きくなる。そこで、拡大画像４２は合焦画像としてメモリ１２７に記憶される。
【００４６】
この状態において、ピントが合う位置をデジタルカメラ１００から更に遠ざけるようにピント調整リング１３２をユーザが回転させると、被写体に合焦していたピントがデジタルカメラ１００から遠ざかり、ピントが被写体からずれる。拡大画像４３は、合焦レンズ１３１のピントが被写体よりもデジタルカメラ１００から遠い位置に合っている場合の画像である。この場合、ピントがずれているため被写体像がぼけており、画像全体のコントラスト値は相対的に低い値になっている。画像処理部１１１は、低いコントラスト値に応じた倍率、例えば１．２倍の拡大倍率で元の画像の中心を中心として拡大する。すなわち、拡大画像４３のコントラスト値は画像４２よりも低いため、拡大画像４３に含まれる被写体像の大きさは拡大画像４２における被写体像よりも小さくなる。そしてこのとき、ＬＣＤ１２２は拡大画像４３と、合焦画像、すなわち拡大画像４２とを表示する。合焦画像を拡大画像４３と同時にＬＣＤ１２２に表示することにより、ユーザはピントがすれていることを容易に把握できる。
【００４７】
画像４２に示した状態において、ピントが合う位置をデジタルカメラ１００に近づけるようにピント調整リング１３２をユーザが回転させると、被写体に合焦していたピントがデジタルカメラ１００に近づき、ピントが被写体からずれる。拡大画像４４は、合焦レンズ１３１のピントが被写体よりもデジタルカメラ１００に近い位置に合っている場合の画像である。この場合、ピントがずれているため被写体像がぼけており、画像全体のコントラスト値は相対的に低い値になっている。画像処理部１１１は、低いコントラスト値に応じた倍率、例えば１．２倍の拡大倍率で元の画像の中心を中心として拡大する。よって、拡大画像４４は、拡大画像４３と同様の画像になる。
【００４８】
次に、図５を用いて第２の表示処理について説明する。
【００４９】
ステップＳ３１からＳ３５まで、並びにステップＳ３７及びＳ３８の処理は、第１の表示処理と同じ処理であるため、説明を省略する。
【００５０】
次のステップＳ５６では、ステップＳ３４で算出したコントラスト値がピーク値か否かを判断する。詳しく説明すると、ピントが合焦点方向に移動するにつれてコントラスト値は次第に高くなり、ピントが合焦位置に達すると最も高い値となる。その後、ピントが合焦位置から離れると、コントラスト値は次第に下がっていく。この現象を利用して、最も高いコントラスト値をピ−ク値として検出する。つまり、コントラスト値が上昇した後に下降した場合、最も高いコントラスト値をピ−ク値とする。コントラスト値がピーク値である場合、処理はステップＳ５７に進み、コントラスト値がピーク値でない場合、処理はステップＳ５８に進む。
【００５１】
ステップＳ５７では、ピーク値であるコントラスト値を持つ画像に対応する拡大画像を合焦画像としてメモリ１２７に記憶させる。
【００５２】
ステップＳ５８では、ＬＣＤ１２２に拡大画像及び合焦画像を合成して表示させる。詳しく説明すると、拡大画像を構成する画素の輝度に５０％を乗じ、合焦画像を構成する画素の輝度に５０％を乗じて得られた値を加算して得られた画像をＬＣＤ１２２に表示する。そして処理はステップＳ３７及びＳ３８を実行した後、終了する。
【００５３】
本実施形態によれば、第１の実施形態と同様の効果を得る。また、一度ピントが被写体に合えば、ピントがずれた後であっても、ピントがずれた画像に加えて、ピントが合ったときの被写体像が常に最も大きくＬＣＤ１２２に表示されることになる。そのため、被写体像のぼけ具合という判断要素に加えて、被写体像の大きさという判断要素、及びピントが合っている被写体像という判断要素を考慮してピントが合っていか否かをユーザが判断できる。よって、表示する画像の画素数や更新頻度等を下げることにより画質が低下しても、ユーザは被写体にピントが合っているか否かを容易に判断できる。
【００５４】
なお本実施形態において、ステップＳ３９及びＳ４０おいて、シャッターレリーズボタンが押圧された場合、ＬＣＤ１２２は合焦画像及び拡大画像の表示を中止して、元の画像を表示してもよい。
【００５５】
また、ステップＳ３９及びＳ４０おいて、ピント調整リング１３２が所定期間以上の期間動かされない場合、ＬＣＤ１２２は合焦画像及び拡大画像の表示を中止して、元の画像を表示してもよい。
【００５６】
ステップＳ５８において、拡大画像及び合焦画像に乗じる値は５０％でなくても良く、いずれか一方に乗じる値が他方よりも小さくても良い。これにより、いずれかの画像を透過的に表示できる。
【００５７】
なお、図４の画像４２に示した状態において、ピントが合う位置をデジタルカメラ１００に近づけるようにピント調整リング１３２をユーザが回転させたとき、被写体像を拡大して得られた拡大画像を拡大画像４２と合成してＬＣＤ１２２が表示してもよい。すなわち、画像処理部１１１は、ピント調整リングの回転量に応じた倍率、例えば２．０倍の拡大倍率で元の画像の中心を中心として拡大して拡大画像を作成し、ＬＣＤ１２２は拡大画像と、合焦画像、すなわち拡大画像４２とを表示する。これにより、ユーザはピントの遠近を容易に把握できる。
【００５８】
なお全ての本実施形態において、画像の中心を中心として拡大しなくても良く、顔検出部１１２が検出した顔の中心を中心として画像を拡大しても良い。
【００５９】
また全ての本実施形態において、画像全体若しくは一部の領域に含まれる高周波成分の量を鮮鋭度として用いる場合、所定値以上の高周波成分を有するピクセル数を、前述のコントラスト値の代わりに使用することができる。
【００６０】
ＣＭＯＳ１２１の代わりにＣＣＤ等の固体撮像素子が用いられても良い。
【００６１】
なお、コントラスト値は、前述した処理以外の処理によって求められても良い。
【００６２】
ピント調整リング１３２の代わりに、シーソースイッチ、ダイヤル、及びレバー等のスイッチを用いてによりピントを調整してもよい。
【００６３】
デジタルカメラ１００は、いわゆるコンパクトカメラ、一眼レフカメラ、ミラーレス一眼カメラであっても良い。
【符号の説明】
【００６４】
１００  デジタルカメラ
１１０  ＤＳＰ
１１１  画像処理部
１１２  顔検出部
１２１  ＣＭＯＳ
１２２  ＬＣＤ
１２３  羽根
１２４  シャッター幕
１２５  駆動回路
１２６  操作スイッチ
１２７  メモリ
１２８  メモリカード
１３１  合焦レンズ
１３２  ピント調整リング
【図１】
2014179782.tif 000004
【図３】
2014179782.tif 000005
【図５】
2014179782.tif 000006
【図２】
2014179782.tif 000007
【図４】
2014179782.tif 000008